(57)【要約】【課題】接続が予定される複数の呼び径の配管に対応する食い込み式管継手部を備えている配管接続部及びこの配管接続部を用いた分離型空気調和機を提供すること。【解決手段】本発明に係る配管接続部Ａ１，Ａ２の構造は、配管を接続する管継手部として、接続が予定されている複数の呼び径の配管に対応する食い込み式管継手部１１，１２を備えている。例えば、配管を接続する管継手部として、呼び径がインチサイズ基準の１個以上の食い込み式管継手部１１と、ミリメートルサイズ基準の１個以上の食い込み式管継手部１２との二系列の食い込み式管継手部を備えているものとする。これにより、市場環境が相違しても、予め準備されている管継手部に適合する呼び径の配管、例えば分離型空気調和機における連絡配管３，４を入手して接続することができる。【選択図】図１
2009103402.tif 000002
【特許請求の範囲】
【請求項１】
配管を接続する管継手部として、接続が予定されている複数の呼び径の配管を接続するための食い込み式管継手部を備えていること特徴とする配管接続部の構造。
【請求項２】
配管を接続する管継手部として、呼び径がインチサイズ基準の１個以上の管継手部と、ミリメートルサイズ基準の１個以上の管継手部との二系列の食い込み式管継手部を備えていること特徴とする請求項１記載の配管接続部の構造。
【請求項３】
前記二系列の食い込み式管継手部は、呼び径がインチサイズ基準の食い込み式管継手と、呼び径がミリメートルサイズ基準の食い込み式管継手であること特徴とする請求項２記載の配管接続部の構造。
【請求項４】
前記二系列の食い込み式管継手部は、配管を接続しようとする被接続装置側の分岐配管に継手本体が取り付けられるとともに、この分岐配管は１本の集合配管に集合されていることを特徴とする請求項２又は３記載の配管接続部の構造。
【請求項５】
請求項４記載の配管接続部の構造において、前記集合配管には閉鎖弁が取り付けられていることを特徴とする配管接続部の構造。
【請求項６】
前記二系列の食い込み式管継手部は、内部に分岐通路とこの分岐通路を集合する集合通路とを備えた集合部材を有し、前記二系列の食い込み式管継手部が前記分岐通路に連通するように前記集合部材に対し一体的に形成されていることを特徴とする請求項２記載の配管接続部の構造。
【請求項７】
請求項６記載の配管接続部の構造において、前記集合通路は閉鎖弁に接続されていることを特徴とする配管接続部の構造。
【請求項８】
前記二系列の食い込み式管継手部は、二つの管継手部を備えた閉鎖弁における管継手部として形成されていることを特徴とする請求項２記載の配管接続部の構造。
【請求項９】
１台の室外ユニットに対し１台以上の室内ユニットが接続される分離型空気調和機であって、この室外ユニットにおける室内ユニットとの連絡配管の接続部に請求項１〜８の何れか１項記載の配管接続部の構造が用いられていること特徴とする分離型空気調和機。
【発明の詳細な説明】
【技術分野】
【０００１】
本発明は、呼び径が異なる異径配管を接続できるようにした配管接続部の構造、特に、呼び径の基準が異なる二系列の管継手部を備えた配管接続部の構造及びこれを用いた分離型空気調和機に関する。
【背景技術】
【０００２】
分離型空気調和機における室外ユニットと室内ユニットとを連絡する連絡配管のように現地接続される配管接続部の構造としては、スリーブを用いてろう付する管継手部を用いたもの、フレア式管継手部を用いたもの、食い込み管継手部を用いたものなどが知られている。ところが、現地配管として径の異なる配管が使用される場合がある。特に、インチサイズを採用する国と、ミリメートルサイズを採用する国では配管基準の相違により予め設定された呼び径の配管を入手することが困難となり、止むを得ず異径配管を接続しなければならない場合がある。従来、予め設定されている呼び径の配管を接続する管継手部に対し異径の配管を接続する方法として、特許文献１にはスリーブを使用してろう付する配管接続部の構造が提案され、特許文献２にはアダプターを利用するフレア式配管接続部の構造が提案されている。
【特許文献１】特開昭５８−２１２８９１号公報
【特許文献２】特開平６−１９３７８２号公報
【発明の開示】
【発明が解決しようとする課題】
【０００３】
しかしながら、これらの場合には、異径配管接続用の特殊なスリーブやアダプターを必要とするため管理が面倒であるという問題があった。一方、食い込み式管継手部を使用する場合については従来何らの方法も提案されていなかった。
【０００４】
本発明は、このような背景の下になされたものであって、接続が予定される複数の呼び径の配管を接続するための食い込み式管継手部を備えている配管接続部の構造を提供することを目的とする。また、このような配管接続部の構造を装備した分離型空気調和機を提供することを目的とする。
【課題を解決するための手段】
【０００５】
本発明に係る配管接続部の構造は、上記課題を解決するものであって、配管を接続する管継手部として、接続が予定されている複数の呼び径の配管を接続するための食い込み式管継手部を備えていることを特徴とする。このような構成によれば、配管を現地で接続するような場合に、異径配管接続用の特殊なスリーブやアダプターを必要とせずに、準備されている複数の食い込み式管継手部から適合する食い込み式管継手部を選択することにより、容易に呼び径の異なる複数の径の配管を接続することができる。また、食い込み式に配管接続が行えるので、高圧流体を扱う場合に最適である。
【０００６】
また、この場合において、配管を接続する管継手部として、呼び径がインチサイズ基準の１個以上の管継手部と、ミリメートルサイズ基準の１個以上の管継手部との二系列の食い込み式管継手部を備えているものとすることができる。このようにすれば、市場環境が相違しても、予め準備されている管継手部に適合する呼び径の配管を容易に入手して接続することができる。
【０００７】
また、この場合において、前記二系列の食い込み式管継手部は、呼び径がインチサイズ基準の食い込み式管継手と、呼び径がミリメートルサイズ基準の食い込み式管継手であるものとすることができる。このように構成すれば、汎用的な構造の食い込み式管継手により配管を接続することができるので、品質が安定する。
【０００８】
また、前記二系列の食い込み式管継手部は、配管を接続しようとする被接続装置側の分岐配管に継手本体が取り付けられるとともに、この分岐配管は１本の集合配管に集合されているものとすることができる。このように構成することにより、配管接続部の構造を簡素化し、省スペース化することができる。
【０００９】
また、この場合において、前記集合配管には閉鎖弁が取り付けられているものとすることができる。このようにすると、１個の閉鎖弁を閉鎖しておくことにより、本発明に係る配管接続部の構造が用いられる装置の配管系を封じ込めた状態で搬入、保管することができる。
【００１０】
また、前述のように食い込み式管継手の継手本体が取り付けられる配管を集合する集合配管に代えて、内部に分岐通路とこの分岐通路を集合する集合通路とを備えた集合部材を有し、前記二系列の食い込み式管継手部が前記分岐通路に連通するように前記集合部材に対し一体的に形成されているようにしてもよい。このように構成すると、配管を集合する集合配管を使用する場合に比しコンパクトな集合部材を使用することができ、省スペース化を図ることができる。
【００１１】
また、この場合において、前述の集合配管を利用する場合と同様に前記集合通路に閉鎖弁を接続するようにしてもよく、この場合も前述の集合配管を利用する場合と同様に、１個の閉鎖弁を閉鎖しておくことにより、本発明に係る配管接続部の構造が用いられる装置の配管系を封じ込めた状態で搬入、保管することができる。
【００１２】
また、前記二系列の食い込み式管継手部は、二つの管継手部を備えた閉鎖弁における管継手部として形成されているようにしてもよい。このようにすれば、より一層配管接続部の構造を簡略化し、コンパクト化することができる。
【００１３】
また、本発明に係る分離型空気調和機は、１台の室外ユニットに対し１台以上の室内ユニットが接続されるものであって、室外ユニットにおける室内ユニットとの連絡配管の接続部に上記何れかの配管接続部の構造が用いられていることを特徴とする。このような構成の空気調和機によれば、室内ユニットと室外ユニットとの連絡配管を現地配管接続する場合に、装備されている複数の食い込み式管継手部から現地に適合する食い込み式管継手部を選択することにより、異径配管接続用の特殊なスリーブやアダプターを必要とせずに容易に配管を接続することができる。また、食い込み式に配管接続が行えるので、高圧となる代替フロン冷媒を扱う場合に最適である。
【発明の効果】
【００１４】
本発明に係る配管接続部の構造及びこれを用いた空気調和機によれば、異径配管接続用の特殊なスリーブやアダプターを必要とせずに呼び径の異なる複数の径の配管を容易に配管を接続することができる。また、食い込み式に配管接続が行えるので、高圧となる代替フロン等の流体を扱う場合に最適である。
【発明を実施するための最良の形態】
【００１５】
（実施の形態１）
図１は、本実施の形態に係る分離型空気調和機であって、室外ユニット１に対し室内ユニット２が液側の連絡配管３及びガス側の連絡配管４により接続されている。室外ユニット１は、圧縮機５、四路切換弁６、室外側熱交換器７、膨張弁８、液側の配管接続部Ａ１及びガス側の配管接続部Ａ２を備えている。室内ユニット２は、室内側熱交換器９を備えている。また、室内ユニット２に対し連絡配管３，４を接続する場合にはろう付による接続を回避するために、連絡配管３，４の先端部にフレア式管継手１０ａ、１０ｂの継手本体が取り付けられ、室内ユニット２から導出される継手用配管にはフレア式管継手１０ａ、１０ｂの結合部材が外装されてフレア接続される。
【００１６】
このように構成された分離型空気調和機は、冷房運転時は、四路切換弁６を実線のポジションにして運転される。このとき、冷媒は、図１に実線矢印で示すように、圧縮機５、四路切換弁６、室外側熱交換器７、膨張弁８、液側の配管接続部Ａ１、液側の連絡配管３、液側のフレア式管継手１０ａ、室内側熱交換器９、ガス側のフレア式管継手１０ｂ、ガス側の連絡配管４、ガス側の配管接続部Ａ２、四路切換弁６、圧縮機５の循環経路で循環される。これにより、室外側熱交換器７が凝縮器として作用するとともに室内側熱交換器９が蒸発器として作用し、室内が冷房される。また、暖房運転時は、四路切換弁６を破線のポジションに切り換えて運転される。このとき、冷媒は、図１に破線矢印で示すように、圧縮機５、四路切換弁６、ガス側の配管接続部Ａ２、ガス側の連絡配管４、ガス側のフレア式管継手１０ｂ、室内側熱交換器９、液側のフレア式管継手１０ａ、液側の連絡配管３、液側の配管接続部Ａ１、膨張弁８、室外側熱交換器７、四路切換弁６、圧縮機５の循環経路で循環される。これにより、室内側熱交換器９が凝縮器として作用するとともに室外側熱交換器７が蒸発器として作用し、室内が暖房される。
【００１７】
上記構成の空気調和機を据え付けるときは、室外ユニット１と、室内ユニット２とを所定の場所に設置するとともに、室外ユニット１と室内ユニット２とを接続する連絡配管３，４を、現地工事により液側の配管接続部Ａ１と液側の継手用配管との間、並びに、ガス側の配管接続部Ａ２とガス側の継手用配管との間に接続される。なお、連絡配管３，４と室内ユニット２の継手配管とを接続するためにフレア式管継手１０ａ，１０ｂが用いられており、連絡配管３，４にはこのフレア式管継手１０ａ，１０ｂの継手本体が取り付けられる。
【００１８】
液側の配管接続部Ａ１とガス側の配管接続部Ａ２とは、接続される配管が液管であることとガス管であることの相違により呼び径が相違するが、基本的構成は同一である。その基本構成の模式拡大図を図２に示す。配管接続部Ａ１及びガス側の配管接続部Ａ２は、それぞれ、連絡配管３又は４を接続する管継手部として呼び径がインチサイズ基準の食い込み式管継手部１１と呼び径がミリメートルサイズ基準の食い込み式管継手部１２とを有するとともに、閉鎖弁１３を備えている。食い込み式管継手部１１、１２は、分岐配管１４,１５に接続され、閉鎖弁１３は分岐配管１４,１５を集合する集合配管１６に接続されている。
【００１９】
食い込み式管継手部１１、１２は、接続する連絡配管３，４の呼び径が相違するが、この点を除いて基本構成は同一であり、この実施の形態においては図３及び図４に示すような食い込み式管継手に形成されている。なお、図３はこのような基本構成を有する食い込み式管継手の配管接続時の断面図であり、図４は同食い込み式管継手の配管接続後の断面図である。
【００２０】
食い込み式管継手部１１、１２としての食い込み式管継手の基本構成は、図３に示すように、分岐配管１４，１５に取り付けられる継手本体２１と、接続しようとする連絡配管３，４に外装されて、継手本体２１に締結される結合部材２２とからなる。継手本体２１は、分岐配管１４又は１５がろう付されるソケット部２３、外表面が六角ナット状に形成された雌ねじ筒部２４、フェルール２７の先端部が押し付けられるカム面２５等を備える。結合部材２２は、雌ねじ筒部２４の雌ねじ部に螺合される雄ねじ部を備えた基体部２６、接続する配管（この場合連絡配管３，４）に食い込んで配管を保持するとともにシールするフェルール２７、外表面が六角ナット状に形成された把持部２８等を備える。フェルール２７は、基体部２６に一体的に形成され、結合部材２２の締結過程において基体部２６から分離される。そして、分離されたフェルール２７は、図４に示すように、以降独立に形成されたフェルールと同様に作用して、分岐配管１４，１５を保持するとともにシールして、継手本体２１に対し分岐配管１４，１５を接続するように構成されている。
【００２１】
把持部２８は、基体部２６に対し薄肉の管状連結部２９を介し基体部２６の反継手本体側に一体的に形成されている。管状連結部２９は、結合部材２２の締結完了時の締結トルクにより切断されるように構成されている。図４はこの状態を示す。また、基体部２６の側面には、断面円形の係合穴部３０が所定円周上において等間隔に４個形成されている。このような構成をしているのは、結合部材２２が一旦締結された後には一般ユーザが容易に結合部材２２を緩めることができないようにするとともに、連絡配管３，４のやり直しなどのように緩める必要がある場合のみ、特殊工具３１を使用して結合部材２２を緩めることができるようにするためである。
【００２２】
特殊工具３１は、図５に示されるようなものであって、所定の厚みを備えた半円板状の基部３２における側面に、前記４個の係合穴部３０の内の任意の３個の係合穴部３０に係合される３個の係合突部３３が形成され、さらに、基部３２を回転させるための柄部３４が取り付けられたものである。したがって、この特殊工具３１を使用して結合部材２２を緩めるときは、基体部２６の係合穴部３０に係合突部３３を係合させ、結合部材２２を緩める方向に柄部３４を回転させるように行えばよい。
【００２３】
以上のように構成される分離型空気調和機を据え付けるときは次のように行われる。
室外ユニット１及び室内ユニット２は個別に搬送されて、所定の位置に設置される。また、液側の連絡配管３及びガス側の連絡配管４を準備する。これら連絡配管３，４としては、室内側端部にフレア式管継手１０ａ，１０ｂの継手本体が取り付けられたものを準備する。連絡配管３，４は、呼び径がインチサイズ基準のものでもミリメートルサイズ基準のもの何れでもよい。搬送されてくる室外ユニット１は、配管接続部Ａ１，Ａ２の各閉鎖弁１３が閉鎖されて所定量の冷媒が封入されている。また、配管接続部Ａ１，Ａ２の食い込み式管継手部１１、１２には、図６に示すように、継手本体２１と結合部材２２との間に閉鎖蓋４１が取り付けられている。食い込み式管継手部１１、１２のうち使用する側は、連絡配管を接続するときに閉鎖蓋４１が取り外されるが、使用しない側は閉鎖蓋４１を取り付けたままとする。このように閉鎖蓋４１を取り付けたままとすることにより、食い込み式管継手部からの冷媒漏れを防止することができる。また、結合部材２２の外側（反継手本体側）の配管貫通孔には、ごみなどの侵入を防ぐためのゴム蓋４２が取り付けられている。このゴム蓋４２も連絡配管３，４を接続する場合にのみ取り外される。
【００２４】
そこで、連絡配管３，４がインチサイズ基準の配管の場合は、液側の配管接続部Ａ１及びガス側の配管接続部Ａ２の食い込み式管継手部１１を用いる。したがって、食い込み式管継手部１１に取り付けられている閉鎖蓋４１及びゴム蓋４２を取り外し、この食い込み式管継手部１１にインチサイズの連絡配管３，４を接続する。また、連絡配管３，４がミリメートルサイズ基準の配管の場合は、液側の配管接続部Ａ１及びガス側の配管接続部Ａ２の食い込み式管継手部１２を用いる。したがって、この場合には食い込み式管継手部１２に取り付けられている閉鎖蓋４１及びゴム蓋４２を取り外し、ミリメートルサイズの連絡配管３，４を接続する。さらに、連絡配管３，４と室内ユニット２との接続は、室内ユニット２から導出されている継手用配管の先端部をフレア加工し、連絡配管３，４の室内側先端部に取り付けられているフレア式管継手１０ａ，１０ｂを利用して行う。
【００２５】
また、連絡配管３，４及び室内ユニット２内に侵入した空気は、次のようにして追い出される。先ず、液側の連絡配管３を液側の配管接続部Ａ１における食い込み式管継手部１１又は１２に取り付けるとともに、液側のフレア式管継手１０ａ及びガス側のフレア式管継手１０ｂにより液側の連絡配管３及びガス側の連絡配管４と室内ユニット２とを接続する。また、ガス側の連絡配管４とガス側の配管接続部Ａ２における食い込み式管継手部１１又は１２との接続は、半締めの状態とする。次に、ガス側の配管接続部Ａ２の閉鎖弁１３を閉めたままの状態で液側の配管接続部Ａ１の閉鎖弁１３を開放する。これにより、室外ユニット１に充填されていた冷媒とともに連絡配管３，４及び室内ユニット２内に侵入している空気をガス側の連絡配管４の配管接続部Ａ２側の端部から追い出すことができる。そして、冷媒とともに空気を追い出しながら、連絡配管４のガス側の端部に位置する食い込み式管継手部１１又は１２における結合部材２２を締め付ける。このようにして、室外ユニット１側及び室内ユニット２側において連絡配管３，４の接続が行われた後、ガス側の配管接続部Ａ２の閉鎖弁１３が開放されて連絡配管３，４の接続が完了する。
【００２６】
実施の形態１に係る配管接続部Ａ１，Ａ２は、以上のように構成されているので、次のような効果を奏することができる。
（１）本実施の形態に係る配管接続部Ａ１，Ａ２は、準備されている複数の（この場合は二系列の）食い込み式管継手部１１，１２から適合する食い込み式管継手部１１，１２を選択することにより、異径配管接続用の特殊なスリーブやアダプターを使用しないで容易に配管（この場合連絡配管３，４）を接続することができる。また、食い込み式に配管接続が行えるので、代替フロンなどの高圧流体を扱う場合に最適である。
【００２７】
（２）本実施の形態に係る配管接続部Ａ１，Ａ２は、配管を接続する管継手部として、呼び径がインチサイズ基準の１個以上の管継手部と、ミリメートルサイズ基準の１個以上の管継手部との二系列の食い込み式管継手部１１，１２を備えている。したがって、市場環境が相違しても、予め準備されている管継手部に適合する呼び径の配管を入手して接続することができる。
【００２８】
（３）上記二系列の食い込み式管継手部１１，１２は、呼び径がインチサイズ基準の食い込み式管継手と、呼び径がミリメートルサイズ基準の食い込み式管継手であればよく、汎用的な構造の食い込み式管継手により配管を接続することができるので、品質が安定する。
【００２９】
（４）上記二系列の食い込み式管継手部１１，１２は、配管（この場合連絡配管３，４）を接続しようとする被接続装置（この場合室外ユニット１）側の配管（この場合分岐配管１４，１５）に継手本体２１が取り付けられる。そして、この分岐配管１４，１５は１本の集合配管１６に集合されているので、配管接続部Ａ１，Ａ２の構造を簡素化し、省スペース化することができる。
【００３０】
（５）集合配管１６には閉鎖弁１３が取り付けられているので、配管接続部Ａ１，Ａ２における１個の閉鎖弁１３を閉鎖しておくことにより、配管系を封じ込めることができる。また、このように閉鎖弁１３を操作することにより配管系を封じ込めた状態で搬入、保管することができる。
【００３１】
上記構成の配管接続部Ａ１，Ａ２を室外ユニット１における連絡配管３，４の接続部に用いた分離型空気調和機によれば、室外ユニット１と室内ユニット２との連絡配管３，４を現地配管接続する場合に、装備されている複数の食い込み式管継手部１１，１２から現地に適合する食い込み式管継手部１１，１２を選択する。この食い込み式管継手部１１，１２の選択により、異径配管接続用の特殊なスリーブやアダプターを必要とせずに容易に連絡配管３，４を接続することができる。また、食い込み式に配管接続が行えるので、高圧となる代替フロン冷媒を扱う場合に最適である。
【００３２】
(実施の形態２)
次に、実施の形態２について図７に基づき説明する。実施の形態２は、実施の形態１における分岐配管１４，１５及び集合配管１６の一部を集合部材５１に置き換えたものである。集合部材５１は、内部に分岐通路５２，５３とこの分岐通路５２，５３を集合する集合通路５４とを備えている。また、配管（この場合連絡配管３，４）を接続する食い込み式管継手部１１，１２が分岐通路５２，５３に連通するように、集合部材５１と一体的に形成されている。さらに、閉鎖弁１３が集合通路５４に連通するように集合配管１６により接続されている。
【００３３】
実施の形態２に係る配管接続部Ａ１，Ａ２は、以上のように構成されているので、分岐配管１４，１５と集合配管１６を使用して接続する場合に比しコンパクトな集合部材５１を使用することができるので、省スペース化を図ることができる。
【００３４】
(実施の形態３)
次に、実施の形態３について図８〜図１０に基づき説明する。実施の形態３は、実施の形態１において、分岐配管１４，１５、集合配管１６及び閉鎖弁１３を一体にしたものである。すなわち、この実施の形態においては、図８及び図９に示すように閉鎖弁１３に２個の管継手部を形成している。また、この管継手部を食い込み式管継手部１１，１２としたものである。より具体的には、閉鎖弁１３の管継手部を、図１０に示すように、食い込み式管継手の継手本体２１として一体的に形成し、これに結合部材２２を締結するように構成されている。なお、この閉鎖弁１３において、６１は閉鎖弁１３を開閉操作する操作ポートであり、６２は、サービスポートである。このサービスポート６２は、冷媒充填の際に冷媒ボンベに連通する配管が接続されるものである。
【００３５】
実施の形態３に係る配管接続部Ａ１，Ａ２は、以上のように構成されているので、実施の形態１及び実施の形態２に比しより一層簡素化された構成となり、省スペース化を図ることができる。
【００３６】
（変形例）
（１）各実施の形態における食い込み式の管継手部の構造は、一例であって他の構造の食い込み式管継手部としてもよい。例えば、上記各実施の形態において、フェルール２７は結合部材２２と一体的に構成され、結合部材２２の締結過程において結合部材２２から分離される構造のものであるが、当初から分離された構造のものとしてもよい。
【００３７】
（２）上記各実施の形態においては、配管接続が予定されている複数の呼び径の食い込み式管継手部１１，１２としてインチサイズの呼び径のものとミリメートルサイズの呼び径のものとを装備したものとしているが、一般的に言う異径の配管を接続できるように装備したものとすることもできる。空気調和機の分野において、１台の室外ユニット１に複数台の室内ユニット２を接続するいわゆるマルチ型空気調和機がある。ところで、このようなマルチ型空気調和機においては、１台の室外ユニット１に対しい容量が異なる室内ユニット２が組み合わされて接続されることがある。この場合、室内ユニット２の容量の相違により各室内ユニット２を接続する連絡配管３，４の呼び径が異なることがある。そこで、予測しうる接続態様に応じて、複数の呼び径の配管を接続する食い込み式管接続部を装備したものとすることもできる。
【００３８】
（３）各実施の形態においては、配管を接続する管継手部としての食い込み式管継手部１１，１２は、二系列の呼び径に対応可能とするように各１個配置されているが、前述のマルチ型空気調和機のような場合は、複数の呼び径の連絡配管を複数本接続することもあり得るので、このような対応として、各系列の管継手部を複数個にするようにしてもよい。
【００３９】
（４）上記各実施の形態においては、連絡配管３，４の室内ユニット側端部にその配管サイズに見合うフレア式管継手を取り付けたものを使用する構成とされている。しかし、これに代えて、室内ユニット側にインチサイズの呼び径の食い込み式管継手部とミリメートルサイズの呼び径の管継手部とを装備したものとし、連絡配管３，４としてインチサイズの呼び径の配管及びミリメートルサイズの呼び径の配管何れでも直接接続できる構成としてもよい。
【００４０】
（５）本実施の形態は、空気調和機などの冷凍装置を例に記載しているが、本発明は、このような冷凍装置のみに限ったものではなく、水配管や油圧配管など他の用途にも適用することができる。
【図面の簡単な説明】
【００４１】
【図１】本発明の実施の形態１に係る配管接続部を装備した分離型空気調和機の冷媒配管系統図である。
【図２】同配管接続部の基本構成の模式拡大図である。
【図３】同配管接続部における食い込み式管継手部として用いられている食い込み式管継手の基本構成を示す部分断面図である。
【図４】同基本構成を有する食い込み式管継手の締結完了後の状態図である。
【図５】同食い込み式管継手に用いられる特殊工具の外観斜視図である。
【図６】同食い込み式管継手の搬入時の断面図である。
【図７】本発明の実施の形態２に係る配管接続部の基本構成の模式拡大図である。
【図８】本発明の実施の形態３に係る配管接続部の基本構成の模式拡大平面図である。
【図９】同配管接続部の基本構成の模式正面拡大図である。
【図１０】図８におけるＸ−Ｘ断面図である。
【符号の説明】
【００４２】
Ａ１，Ａ２…配管接続部、１…室外ユニット、２…室内ユニット、３，４…連絡配管、１１，１２…食い込み式管継手部、１３…閉鎖弁、１４，１５…分岐配管、１６…集合配管、２１…継手本体、５１…集合部材、５２，５３…分岐通路、５４…集合通路。
【図１】
2009103402.tif 000003
【図２】
2009103402.tif 000004
【図３】
2009103402.tif 000005
【図４】
2009103402.tif 000006
【図５】
2009103402.tif 000007
【図６】
2009103402.tif 000008
【図７】
2009103402.tif 000009
【図８】
2009103402.tif 000010
【図９】
2009103402.tif 000011
【図１０】
2009103402.tif 000012